(57)【特許請求の範囲】
【請求項１】
外郭を構成する筐体と、
前記筐体の外周面に形成されて手の挿入を可能とする挿入凹部と、
前記筐体のうち前記挿入凹部となる面に形成された吹出口と、
前記筐体に形成された吸込口と、
前記筐体の内部に形成されて前記吸込口と前記吹出口とを結ぶ風路と、
前記風路における前記吹出口の下方に設けられて、前記吸込口側から空気を取り入れる取入口および前記吹出口側に空気を送出する送出口が形成されたフレームを有し、前記吸込口から前記吹出口に向かう空気流を発生させる送風機と、
前記送出口のうち前記吹出口方向である上方を向く部分と対向する位置であって、前記送出口との間に隙間が形成される位置に設けられ、前記送出口のうち前記吹出口方向を向かない方向である下方を向く部分には対向しない遮蔽部と、を備え、
前記遮蔽部は、前記送出口が形成されたフレームに取り付けられていることを特徴とする手乾燥装置。
【請求項２】
前記送出口は、複数の開口で形成され、
前記遮蔽部は、前記送出口と対向する面の面積が、当該遮蔽部と対向する前記送出口の面積よりも大きいことを特徴とする請求項１に記載の手乾燥装置。
【請求項３】
前記遮蔽部は、樹脂材、エラストマー材またはゴム材で形成され、難燃剤を含有していることを特徴とする請求項１または２に記載の手乾燥装置。
【請求項４】
前記遮蔽部は、金属材で形成されていることを特徴とする請求項１または２に記載の手乾燥装置。
【発明の詳細な説明】
【技術分野】
【０００１】
本発明は、洗浄後の濡れた手に空気流を吹き付けて乾燥させる手乾燥装置に関する。
【背景技術】
【０００２】
濡れた手を乾燥させる手乾燥装置には、空気流を吹き付けて手に付着した水滴を吹き飛ばすことで乾燥させる手乾燥装置がある。特許文献１には、本体内部に設けた送風機によって空気流を発生させ、本体に形成されたノズルから空気を吹き出させる手乾燥装置が開示されている。空気流を発生させる送風機には、整流子とブラシとを備える整流子モータが用いられる場合がある。
【先行技術文献】
【特許文献】
【０００３】
【特許文献１】特許第４７２６７５８号公報
【発明の概要】
【発明が解決しようとする課題】
【０００４】
しかしながら、整流子モータの動作時には、整流子とブラシとの摺動で騒音が発生しやすい。整流子とブラシとの摺動で発生した騒音は、本体内で発生された空気流とともに、ノズルを通して本体の外部に漏れやすい。
【０００５】
本発明は、上記に鑑みてなされたものであって、整流子モータの整流子とブラシとの摺動で発生した騒音が外部に漏れにくい手乾燥装置を得ることを目的とする。
【課題を解決するための手段】
【０００６】
上述した課題を解決し、目的を達成するために、本発明は、外郭を構成する筐体と、筐体の外周面に形成されて手の挿入を可能とする挿入凹部と、筐体のうち挿入凹部となる面に形成された吹出口と、筐体に形成された吸込口と、筐体の内部に形成されて吸込口と吹出口とを結ぶ風路と、風路に設けられて、風路における吸込口側から空気を取り入れる取入口および風路における吹出口側に空気を送出する送出口が形成され、吸込口から吹出口に向かう空気流を発生させる送風機と、送出口と対向する位置であって、送出口との間に隙間が形成される位置に設けられる遮蔽部と、を備えることを特徴とする。
【発明の効果】
【０００７】
本発明によれば、整流子モータの整流子とブラシとの摺動で発生した騒音が外部に漏れにくい手乾燥装置を得ることができるという効果を奏する。
【図面の簡単な説明】
【０００８】
【図１】実施の形態１にかかる手乾燥装置の外観斜視図
【図２】図１に示す手乾燥装置の側面断面図
【図３】図１に示す手乾燥装置が備える送風機の外観斜視図
【図４】図３に示す送風機の側面図
【図５】図３に示す送風機から遮蔽カバーを取り外した状態を示す分解斜視図
【図６】図３に示す送風機が備える電動機の斜視図
【図７】図６に示す電動機の側面断面図
【図８】図３に示す送風機の平面図
【図９】図３に示す送風機の平面図であって、図８に示すＡ−Ａ線に沿って遮蔽カバーを切断した状態を示す図
【図１０】図９に示す送風機の側面図
【発明を実施するための形態】
【０００９】
以下に、本発明の実施の形態にかかる手乾燥装置を図面に基づいて詳細に説明する。なお、この実施の形態によりこの発明が限定されるものではない。
【００１０】
実施の形態１．
図１は、実施の形態１にかかる手乾燥装置の外観斜視図である。図２は、図１に示す手乾燥装置の側面断面図である。手乾燥装置５０は、外郭を構成する筐体１を備える。筐体１は直方体形状を呈する。以下の説明において、図１および図２に示すＸ軸に沿った正の方向を前方、負の方向を後方とする前後方向で説明し、Ｙ軸に沿った正の方向を右方、負の方向を左方とする左右方向で説明し、Ｚ軸に沿った正の方向を下方、負の方向を上方とする上下方向で説明する。また、図面中のＸ軸、Ｙ軸、Ｚ軸を除く矢印は、後述する送風機の動作時の空気の流れを示す。
【００１１】
筐体１の上面には下方に向かう凹みが形成されている。この凹みが、手の挿入が可能な挿入凹部である手挿入部２となる。手挿入部２は、左右方向に延びるように形成され、筐体１の両側面側にも開放されている。筐体１のうち手挿入部２となる面には、吹出口３が形成されている。図２に示すように、吹出口３は、手挿入部２の前面側と後面側の両方に形成されている。
【００１２】
筐体１の下面には、吸込口１４が形成されている。筐体１の内部には、吸込口１４と吹出口３とを結ぶ風路２５が形成されている。風路２５は、全体として上下に延びるように形成される。風路２５の途中には、吸込口１４から吹出口３に向かう空気流を発生させる高圧空気流発生装置である送風機６が設けられている。送風機６の詳細な構成については後述する。
【００１３】
手挿入部２の底面には、筐体１の下面に向けてドレン水を流す図示しない排水口が設けられている。筐体１の下面には、手挿入部２の底面の排水口から流れ落ちたドレン水を貯めるドレン容器４が抜き差し可能に設けられている。ドレン容器４の上部または側部には、静電容量の変化によって、ドレン容器４に貯まったドレン水の容量を検知するための電極板５が設けられている。
【００１４】
また、手乾燥装置５０には、送風機６の動作を制御する制御基板７と、手挿入部２に手が挿入されたことを検知する手検知センサー９と、室温を検知するルームサーモ１１が設けられている。筐体１の風路２５には、風路２５内を通過する空気を加熱して温風化させるヒータ１０が設けられる。筐体１の下面に形成された吸込口１４には、脱着可能のエアフィルタ１３が設けられている。
【００１５】
次に、手乾燥装置５０が動作したときの空気の流れについて説明する。手挿入部２に手が挿入されると、手挿入部２内に手があることを手検知センサー９が検知する。手挿入部２内に手があることを手検知センサー９が検知すると、制御基板７によって送風機６が作動され、吸込口１４から吹出口３に向かう空気流が風路２５内に発生する。筐体１の外部から吸込口１４に設けられたエアフィルタ１３を通して風路２５内に空気が吸い込まれる。風路２５内で発生した空気流によって、吹出口３から手挿入部２内に空気が噴出され、手に吹き付けられる。手に吹き付けられた空気によって、手に付着している水分が吹き飛ばされて、手が乾燥される。
【００１６】
手挿入部２から手が抜かれると、手挿入部２内から手が無くなったことを手検知センサー９が検知する。手挿入部２内から手が無くなったことを手検知センサー９が検知すると、制御基板７が送風機６の動作を停止させる。
【００１７】
手挿入部２に挿入された手から吹き飛ばされた水は、筐体１の下面に設けられたドレン容器４に収容される。ドレン容器４のドレン水位は、ドレン容器４の上部または側部に設けられた電極板５で、ドレン水と電極板間の静電容量の変化に基づいて、制御基板７によって判断される。
【００１８】
次に、風路２５内に設けられる送風機６の詳細な構成について説明する。図３は、図１に示す手乾燥装置５０が備える送風機６の外観斜視図である。図４は、図３に示す送風機６の側面図である。図５は、図３に示す送風機６から遮蔽カバー２２を取り外した状態を示す分解斜視図である。図６は、図３に示す送風機６が備える電動機６０の斜視図である。図７は、図６に示す電動機６０の側面断面図である。
【００１９】
送風機６は、空気流を発生させる電動機６０と、一部の空気流の進路を遮蔽する遮蔽カバー２２とを備える。図７に示すように、電動機６０は、ブラシ１６の内側に整流子１５が配置され、整流子１５にはロータ軸６１が連結されている。ブラシ１６と整流子１５とは接触している。ロータ軸６１にはターボファン１２が連結されている。整流子１５、ブラシ１６およびロータ軸６１は、フレーム１７内に収容される。ロータ軸６１は、フレーム１７内で回転軸６１ａを中心に回転可能に支持されている。ブラシ１６は、フレーム１７内でブラシホルダー１８に取り付けられている。
【００２０】
フレーム１７の内部では、ロータ軸６１の周囲に電機子６２が固定されている。電機子６２は、鉄心に巻線を巻きつけて形成される。フレーム１７の内部であって、電機子６２の周囲には、電機子６２との間に間隔を設けて固定子６３が固定されている。固定子６３には、磁極が形成されている。
【００２１】
整流子１５には、電機子６２を形成する巻線が接続されている。ブラシ１６に供給された電力は、整流子１５を介して電機子６２に供給される。電機子６２には、図６に示すように、電源供給端子１９が設けられる。電源供給端子１９は、埃の付着を防止するために、樹脂製のカバーで覆われている。
【００２２】
フレーム１７には、フレーム１７の内部に空気を取り入れる取入口１７ａと、取入口１７ａから取り込んだ空気をフレーム１７の外部に送出する開口である送出口２１が形成されている。電動機６０は、電機子６２に電力が供給されて、整流子１５、ロータ軸６１およびターボファン１２が回転することで、取入口１７ａから空気が取り入れられ、送出口２１から空気が送出される。送出口２１は、方形形状を呈する開口であり、フレーム１７の側面に複数形成されている。
【００２３】
図２に戻って、送風機６は、回転軸６１ａを水平にして風路２５内に設けられる。そのため、送風機６に形成された送出口２１のうち、一部は吹出口３方向である上方を向き、一部は吹出口３の反対方向である下方を向く。
【００２４】
遮蔽カバー２２は、図２、図４および図５に示すように、吹出口３方向を向く送出口２１を遮蔽する遮蔽部２２ａを有する。図８は、図３に示す送風機６の平面図である。図９は、図３に示す送風機６の平面図であって、図８に示すＡ−Ａ線に沿って遮蔽カバー２２を切断した状態を示す図である。図１０は、図９に示す送風機６の側面図である。
【００２５】
図１０に示すように、遮蔽部２２ａは、送出口２１のうち吹出口３方向を向く部分と対向する位置であって、送出口２１との間に隙間が形成される位置に設けられる。送出口２１から送出された空気は、送出口２１と遮蔽部２２ａとの隙間を通って、遮蔽カバー２２の外部に流れる。遮蔽部２２ａは、送出口２１と対向する面の面積が、当該遮蔽部２２ａと対向する送出口２１の面積よりも大きく形成されている。
【００２６】
遮蔽カバー２２は、難燃剤を有する可塑性の樹脂材で形成される。遮蔽カバー２２は、フレーム１７の上面に設けられた防振ゴム２０の固定穴２４に一部が差し込まれている。また、遮蔽カバー２２を、ネジを用いてフレーム１７に固定してもよい。遮蔽部２２ａは、吹出口３の反対方向である下方を向く送出口２１部分には対向していない。防振ゴム２０は、筐体１との当接部に設けられて、送風機６の振動が筐体１に伝播することを抑制する。
【００２７】
送風機６の作動時には、ロータ軸６１およびターボファン１２が回転することで、フレーム１７内に空気が取り入れられる。フレーム１７内に取り込まれた空気は、フレーム１７内で固定子６３、電機子６２、整流子１５およびブラシ１６部分を通過して、送出口２１から送出される。送風機６の作動時にロータ軸６１が回転することで、固定子６３と電機子６２とによる摺動、および整流子１５とブラシ１６との摺動によって温度が上昇する。フレーム１７内に取り入れられた空気が、固定子６３、電機子６２、整流子１５およびブラシ１６部分を通過することで、これらの部品の温度上昇が抑えられる。
【００２８】
送風機６の作動時には、固定子６３と電機子６２とによる摺動、および整流子１５とブラシ１６との摺動による摺動音を含んだ騒音がフレーム１７内で発生する。フレーム１７内で発生した騒音は、風路２５内の空気流とともに吹出口３から漏れることで、手乾燥装置５０の騒音となる。
【００２９】
ここで、本実施の形態にかかる手乾燥装置５０では、吹出口３方向を向く送出口２１に対向する位置に遮蔽部２２ａを設けている。これにより、送出口２１から漏れる騒音が、遮蔽部２２ａに遮られるため、吹出口３からの騒音の漏れを抑えることができる。また、遮蔽部２２ａは、送出口２１と対向する面の面積が、当該遮蔽部２２ａと対向する送出口２１の面積よりも大きく形成されているので、遮蔽部２２ａによる遮音効果の向上を図ることができる。
【００３０】
また、吹出口３方向を向かない送出口２１から漏れる騒音は、吹出口３方向と逆方向に漏れるため、吹出口３方向を向く送出口２１から漏れる騒音よりも、吹出口３から漏れにくい。そこで、吹出口３方向を向かない送出口２１には、遮蔽部２２ａを設けないことで、騒音の漏れよりも空気の円滑な流れを優先している。これにより、吹出口３からの空気の吹き出し速度の低下を抑えることができる。
【００３１】
また、吹出口３は手挿入部２の前面側と後面側の両方に形成されているため、手の平および手の甲の両側に空気が吹き付けられる。そのため、手の乾燥時間の短縮化を図ることができる。また、吹出口３から噴出される空気は、ヒータ１０によって加熱されることで、冬場の冷風感を抑えることができる。また、吹出口３から噴出される空気が加熱されることで、手の乾燥時間の短縮化が図られる。また、ルームサーモ１１が検知した室温に基づいて、ヒータ１０への通電の開始と停止とを制御基板７で制御すれば、冷風感を感じにくい夏場にヒータ１０への通電を停止させて、省エネルギー化を図ることができる。
【００３２】
また、電極板５でドレン容器４のドレン水位を検知することで、ドレン容器４が満水の場合は、手乾燥装置５０の運転を停止させることができる。これにより、ドレン水があふれることを防ぐことができる。また、静電容量は温度によって特性値が変化するため、ルームサーモ１１で検知した室温に基づいて、制御基板７による静電容量値の判断基準を補正することができる。
【００３３】
なお、遮蔽部２２ａは、可塑性の樹脂材で形成された例を挙げたか、エラストマーまたはゴムで形成して、難燃剤を含有させてもよい。また、遮蔽部２２ａを金属で形成してもよい。
【００３４】
また、送風機６のフレーム１７に形成された送出口２１の数および形状は、上述したものに限られない。吹出口３方向を向く部分と吹出口３方向を向かない部分に跨った開口で送出口２１が形成されていてもよい。この場合には、送出口２１のうち吹出口３方向を向く部分に対向する位置に遮蔽部２２ａを設ければよい。
【００３５】
また、遮蔽部２２ａが送風機６に設けられた例を挙げたが、筐体１側に遮蔽部２２ａを設けてもよい。また、遮蔽部２２ａを、吹出口３の反対方向である下方を向く送出口２１部分にも対向させてもよい。
【００３６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３７】
１  筐体、２  手挿入部（挿入凹部）、３  吹出口、６  送風機、７  制御基板、９  手検知センサー、１０  ヒータ、１２  ターボファン、１４  吸込口、１５  整流子、１６  ブラシ、１７  フレーム、１７ａ  取入口、２１  送出口、２２  遮蔽カバー、２２ａ  遮蔽部、２５  風路、５０  手乾燥装置、６０  電動機、６１  ロータ軸、６１ａ  回転軸、６２  電機子、６３  固定子。
【図１】
0006305300.tif 000002
【図２】
0006305300.tif 000003
【図３】
0006305300.tif 000004
【図４】
0006305300.tif 000005
【図５】
0006305300.tif 000006
【図６】
0006305300.tif 000007
【図７】
0006305300.tif 000008
【図８】
0006305300.tif 000009
【図９】
0006305300.tif 000010
【図１０】
0006305300.tif 000011